(57)【要約】【課題】ラピッドスタート式の安定器を備えた灯具に装着された複数の半導体発光素子を、より均等な明るさで点灯させる。【解決手段】半導体発光素子に対して、ラピッドスタート式に対応した電圧供給を行う少なくとも一つのラピッドスタート式用の電圧供給部、および、他の蛍光灯点灯方式に対応した電圧供給を行う少なくとも一つの電圧供給部を設ける。そして、電圧検知回路で電圧が検知された場合に、ラピッドスタート式用の電圧供給部から半導体発光素子に対して電圧供給を行う。また、電圧検知回路で電圧が検知されなかった場合は、他の蛍光灯点灯方式に対応した電圧供給部から半導体発光素子に対して電圧供給を行う。これにより、ラピッドスタート式の安定器を備えた灯具に装着された複数の半導体発光素子を、より均等な明るさで点灯させることができる。【選択図】図１４
2016085813.tif 000002
【特許請求の範囲】
【請求項１】
ラピッドスタート式の蛍光灯の安定器を含む２種類以上の点灯方式の電力供給部に接続可能な入力部を備えた照明灯であって、
半導体発光素子と、
前記電力供給部から印加される電圧を検知する電圧検知回路と、
前記半導体発光素子に対して、ラピッドスタート式に対応した電圧供給を行う少なくとも一つのラピッドスタート式用の第１の電圧供給部、および、他の蛍光灯点灯方式に対応した電圧供給を行う少なくとも一つの第２の電圧供給部を備え、前記電圧検知回路で前記電圧が検知された場合に、前記第１の電圧供給部から前記半導体発光素子に対して電圧供給を行い、前記電圧検知回路で前記電圧が検知されなかった場合は、前記第２の電圧供給部から前記半導体発光素子に対して電圧供給を行う制御部と
を有する照明灯。
【請求項２】
ラピッドスタート式の蛍光灯の安定器の電力供給部に接続可能な入力部を備えた照明灯であって、
半導体発光素子と、
ラピッドスタート式に対応した電圧供給を行う、少なくとも一つのラピッドスタート式用の電圧供給部を備え、前記電圧供給部がオン動作する時間に対応した電圧を生成するスイッチング動作で前記半導体発光素子に供給する電圧を生成する制御部と、
前記電圧供給部のスイッチング動作における前記オン動作の時間を制御するスイッチング制御素子と
を有する照明灯。
【請求項３】
前記スイッチング制御素子は、前記電圧供給部がオン動作している時間を一定時間に固定すること
を特徴とする請求項２に記載の照明灯。
【請求項４】
前記スイッチング制御素子は、ツェナーダイオード、抵抗、コンデンサのうち、いずれかであること
を特徴とする請求項２または請求項３に記載の照明灯。
【請求項５】
請求項１から請求項４のうち、いずれか一項に記載の照明灯と、
前記照明灯を装着する灯具と
を有する照明装置。
【発明の詳細な説明】
【技術分野】
【０００１】
本発明は、照明灯および照明装置に関する。
【背景技術】
【０００２】
近年、低消費電力および長寿命等の特長を有する発光ダイオード（Light  Emitting  Diode：ＬＥＤ）を用いた照明灯（以降、ＬＥＤ照明灯とする場合がある）が注目されている。商用交流電源または各種蛍光灯安定器の出力を入力とするＬＥＤ照明灯もそのうちの１つであり、従来の蛍光灯と置き換えて用いることができる。
【発明の概要】
【発明が解決しようとする課題】
【０００３】
しかし、蛍光灯のラピッドスタート式の安定器を内蔵した２灯の灯具に対して、それぞれＬＥＤ照明灯を装着し、通常の定電流制御を行うと、各ＬＥＤ照明灯の明るさが不均等（アンバランス）になる問題がある。
【０００４】
本発明は、上述の課題に鑑みてなされたものであり、ラピッドスタート式の安定器の灯具に装着された複数のＬＥＤ照明灯を、より均等な明るさで点灯させることができる照明灯および照明装置の提供を目的とする。
【課題を解決するための手段】
【０００５】
本発明は、ラピッドスタート式の蛍光灯の安定器を含む２種類以上の点灯方式の電力供給部に接続可能な入力部を備えた照明灯であって、上述した課題を解決し、目的を達成するために、半導体発光素子と、電力供給部から印加される電圧を検知する電圧検知回路と、半導体発光素子に対して、ラピッドスタート式に対応した電圧供給を行う少なくとも一つの第１の電圧供給部、および、他の蛍光灯点灯方式に対応した電圧供給を行う少なくとも一つの第２の電圧供給部を備え、電圧検知回路で電圧が検知された場合に、前記第１の電圧供給部から半導体発光素子に対して電圧供給を行い、電圧検知回路で電圧が検知されなかった場合は、前記第２の電圧供給部から半導体発光素子に対して電圧供給を行う制御部とを有する。
【発明の効果】
【０００６】
本発明によれば、ラピッドスタート式の安定器の灯具に装着された複数の半導体発光素子を、より均等な明るさで点灯させることができるという効果を奏する。
【図面の簡単な説明】
【０００７】
【図１】図１は、第１の実施の形態の照明灯および照明灯が装着される灯具からなる照明装置外観斜視図である。
【図２】図２は、灯具を長手方向に沿って切断した断面図である。
【図３】図３は、第１の実施の形態の照明灯の分解斜視図である。
【図４】図４は、第１の実施の形態の照明灯の両端部の分解斜視図である。
【図５】図５は、第１の実施の形態の照明灯の横断面図である。
【図６】図６は、第１の実施の形態の照明灯のブロック図である。
【図７】図７は、フィルタ回路とは別に高周波用フィルタ回路を設ける構成とした場合の、第１の実施の形態の照明灯のブロック図である。
【図８】図８は、ドライブ回路をバイパス可能な構成とした場合の、第１の実施の形態の照明灯のブロック図である。
【図９】図９は、ドライブ回路とは別に第２のドライブ回路を設ける構成とした場合の、第１の実施の形態の照明灯のブロック図である。
【図１０】図１０は、省電力切替回路を設ける構成とした場合の、第１の実施の形態の照明灯のブロック図である。
【図１１】図１１は、ラピッド検知回路を設ける構成とした場合の、第１の実施の形態の照明灯のブロック図である。
【図１２】図１２は、第１の実施の形態の照明灯内に設けられた第１の切替回路、第２の切替回路、第１の抵抗回路、および第２の抵抗回路の模式的な回路図である。
【図１３】図１３は、フィルタ回路を設けない構成とした場合の、第１の実施の形態の照明灯のブロック図である。
【図１４】図１４は、第２の実施の形態の照明灯のブロック図である。
【図１５】図１５は、第３の実施の形態の照明灯のブロック図である。
【発明を実施するための形態】
【０００８】
以下、一例として、本発明を適用した実施の形態となる照明装置を詳細に説明する。
【０００９】
（第１の実施の形態）
まず、図１に、第１の実施の形態の照明灯および照明灯が装着される灯具からなる照明装置の外観斜視図を示す。この図１に示すように、照明装置２００は、照明灯１００と、照明灯１００が装着される灯具１５０とを備えている。
【００１０】
照明灯１００は、キャップ部材１ａ，１ｂ、筐体２、および透光部材３を有している。筐体２は、例えばアルミニウム合金またはマグネシウム合金等の金属部材を押出成形して作られた長尺形状を有している。また、筐体２は、断面が略半円筒形状となるように形成されている。透光部材３は、筐体２と組み合わされることで、全体が略円筒形状となるように、筐体２と同様に長尺の略半円筒形状を有している。また、透光部材３は、後述する複数のＬＥＤから発光された光束を透過するように、樹脂またはガラスで形成されている。
【００１１】
キャップ部材１ａ，１ｂは有底円筒形状を有しており、筐体２および透光部材３の各両端部のキャップとして機能する。また、キャップ部材１ａ，１ｂは、灯具１５０のソケット１５１ａ，１５１ｂに取り付けられることで、灯具１５０と照明灯１００との物理的かつ電気的な接続を図る。なお、この例では、筐体２は略半円筒形状であることとしたが、略半円筒形状に限定する必要はない。図１では、透光部材３を半円形で描いているが、蛍光灯のように断面が筒状になっていて、透光部材３が筐体２を包むような構成であってもよい。
【００１２】
図２は、灯具１５０を長手方向に沿って切断した断面図である。灯具１５０は、蛍光灯安定器１５３と、照明灯１００を着脱可能に装着するソケット１５１ａおよび１５１ｂとを有し、商用交流電源と接続可能に構成されている。商用交流電源の周波数は、例えば５０Ｈｚまたは６０Ｈｚ等である。商用交流電源からの電力は、蛍光灯安定器１５３に供給される。
【００１３】
図２に示すように灯具１５０は、ソケット１５１ａ，１５１ｂの反対側が、例えば天井等に埋め込まれており、ソケット１５１ａ，１５１ｂ側が解放されている。ソケット１５１ａ，１５１ｂは、一対の電極端子１５２ａ，１５２ｂおよび配線１５４を介して、蛍光灯安定器１５３に接続されている。蛍光灯安定器１５３は、例えば周知の蛍光灯グロー安定器、蛍光灯ラピッド安定器、蛍光灯インバータ安定器等である。ただし、照明灯１００は商用交流電源と直結可能に構成されており、その場合には蛍光灯安定器１５３は不要となる。このように、照明灯１００は、蛍光灯グロー安定器、蛍光灯ラピッド安定器、蛍光灯インバータ安定器、および商用交流電源の何れとも接続可能に構成することができる。
【００１４】
次に、図３に照明灯１００の分解斜視図を示す。図３の（ａ）の符号を付した図は、照明灯１００の長手方向に向かって左側の端部近傍の分解斜視図である。また、図３の（ｂ）の符号を付した図は、照明灯１００の長手方向に向かって右側の端部近傍の分解斜視図である。この図３に示すように、キャップ部材１ａ，１ｂは、複数のねじ５ａ，５ｂ，５ｃ，５ｄによって、筐体２に締付固定される。これより、キャップ部材１ａ，１ｂは、筐体２と嵌合した透光部材３とが一体的になるように包み込んでいる。つまり、キャップ部材１ａ，１ｂは、筐体２および透光部材３の各両端部を覆うように形成されて設けられている。
【００１５】
キャップ部材１ａ，１ｂは、ねじ止めではなく、筐体２との継ぎ目を工具等で固く密着させて（カシメて）製作してもよいし、インサート成形してもよい。キャップ部材１ａ，１ｂの形状は、既存の蛍光灯の両端に位置するキャップ部材（口金）と略同一の形状とされている。照明灯１００は、灯具１５０に取り付けられている既存の蛍光灯に代えて、容易に交換可能となっている。
【００１６】
図３および図４に示すように、一方のキャップ部材１ａには電極端子４ａ，４ｂが、他方のキャップ部材１ｂには電極端子４ｃ，４ｄが、それぞれキャップ部材１ａまたはキャップ部材１ｂから長手方向に沿って突出するように設けられている。各キャップ部材１ａまたはキャップ部材１ｂに対して電極端子４ａ，４ｂ，４ｃ，４ｄを設ける場合、インサ−ト成形、カシメ、ねじ締結等の固定方法を用いることができる。照明灯１００は、図３の（ｂ）の符号を付した図に示すように、各キャップ部材１ａ，１ｂ内に配置されたコネクタ１６等を介して商用電源Ｅからの交流電力を取り込む。取り込まれた交流電力は、リード線６ａ，６ｂ，６ｃ，６ｄを介して、図３の（ａ）の符号を付した図に示す電源基板７に給電される。
【００１７】
電源基板７には、商業電源Ｅから得られた交流電源を、直流電源に変換して実装基板１１ａ，１１ｂに供給するための直流電源変換用の電子部品９が設けられている。実装基板１１ａ，１１ｂには、図４の（ａ）および（ｂ）の符号を付した図に示すように、複数のＬＥＤ１２ａが長手方向に実装されたＬＥＤモジュール５７が設けられている。ＬＥＤは、半導体発光素子の一例である。また、ＬＥＤは、「light  emitting  diode」の略記である。電源基板７は、図３の（ａ）の符号を付した図に示すように、略半円筒形状の筐体２の内部に収納され、筐体２内で動かないよう固定されている。また、この第１の実施の形態の照明灯１００の場合、リード線６ａ，６ｂは、リード線６ｃ，６ｄよりも短くなっている。
【００１８】
電子部品９によって直流に整流された電流は、図４の（ａ）の符号を付した図に示すリード線１３ａ、１３ｂを介して実装基板１１ａ，１１ｂに供給される。長手方向に並列配置された実装基板１１ａ，１１ｂの間は、図示しないリード線やジャンパ−線等で電気的に接続されている。なお、この例では、ＬＥＤモジュール５７を実装する実装基板として、実装基板１１ａ，１１ｂの２枚を図示しているが、１枚または３枚以上の実装基板を設けてもよい。
【００１９】
図３および図４に示すように、第１の実施の形態の照明灯１００の場合、実装基板１１ａの下方側に電源基板７を配置し、実装基板１１ｂ側には何も配置していない。換言すれば、実装基板１１ｂ側は、筐体２内が空洞となるように、平面的に構成されている。また筐体２の半円の弦に相当する部分となる平面部１４に、実装基板１１ａ，１１ｂが装着される。この平面部１４と実装基板１１ａ，１１ｂの間には、それぞれシ−ト状の樹脂部材１０ａ，１０ｂを、平面部１４と実装基板１１ａ，１１ｂとでそれぞれ挟むようにして介装して配設している。
【００２０】
図３および図４に示すように、その両端にリード線６ａ，６ｂとリード線６ｃ，６ｄがそれぞれ接続された電源基板７は、図５に示すように、長手方向に延びるカバー部材となる樹脂製のホルダ３０で周囲が覆われている。リード線６ａとリード線６ｂの先端と、リード線６ｃとリード線６ｄの先端には、各コネクタ１６に挿入するための口金部が設けられている。ホルダ３０は、電源基板７と同等以上の長さを有する長尺形状を有し、断面形状に切断部がない連続した筒状部品である。ホルダ３０は、押出成形、引抜成形、射出成形等の成型方法により形成することができる。ホルダ３０の材質は、例えばＰＣ（ポリカーボネート）、ＰＡ（ナイロン）が用いられる。
【００２１】
ホルダ３０は、図５に示すように、筐体２の内部に収納可能であって、長手方向において略同一の断面形状とされている。電源基板７はホルダ３０に着脱可能に装着されることでホルダ３０と一体化される。
【００２２】
すなわち、図５に示すように、ホルダ３０の長手方向と交差する幅方向に位置する側面３０ａ、３０ｂには、幅方向に突出して受け台部３１a，３１ｂが形成されている。これら受け台部３１a，３１ｂは、電源基板７をホルダ３０内に端部側から挿入する際の案内レール部として機能する。受け台部３１a，３１ｂは、電源基板７の挿入後においては、電源基板７とホルダ３０の底部３０ｃとの間に離間部（空間部）３２が形成されるように電源基板７を支持する。離間部３２は、電源基板７から突出した図３の（ａ）の符号を付した図に示す電子部品９のリード線が、ホルダ３０に触れない、或いは電気的絶縁性が確保できるような距離Ｚ１を確保するためのものである。
【００２３】
ホルダ３０は、電源基板７の全体（周囲）を外側から覆うことで、筐体２の内部において電源基板７を筐体２から離隔している。ホルダ３０は、図５に示すように、筐体２内において筐体２の内側面と接触する。ホルダ３０は、筐体２内で滑りやすくするため、筐体２の内側面と接触する表面を平滑面としている。この例の場合、ホルダ３０は、同ホルダ３０を分割するための切断部が無い断面形状である。このため、ホルダ３０内へ電源基板７を設置する場合、開口されているホルダ３０の端部から電源基板７をホルダ３０内に挿入することになる。ホルダ３０と電源基板７は、筐体２への装着前に一体化されて電源基板ユニットとして構成され、電源基板ユニットの状態で筐体２の端部から筐体２の内部に挿入される。
【００２４】
このような構成によると、電源基板７の周囲を覆い、電源基板７を筐体２から離隔し、筐体２内に収納可能な断面が略同一形状で長手方向に延びる樹脂製のホルダ３０を有するので、筐体２との電気的絶縁性を保つことができ、高い安全性を確保できる。また、電気的絶縁性を確保するために、筐体２の内部へ絶縁材の塗装を行わなくても良いので、低コストで筐体２を製作できる。さらに、筐体２内が、ホルダ３０によって電源基板７と筐体２とに区分して離間できるため、電子部品９のリ−ド線１３ａ、１３ｂが突出していても筐体２に触れることがなく、チップ部品などの高価な部品を用いることなく作製できる。
【００２５】
また、第１の実施の形態の照明灯１００の場合、電源基板７と実装基板１１ａ、１１ｂの間にホルダ３０（ホルダ３０の底部３０ｃ）を設けているため、電源基板７の熱が実装基板１１ａ、１１ｂに伝わりにくくなり、ＬＥＤモジュール５７に与える熱の影響が全てのＬＥＤで均一になる。このため、時間の経過と共に部分的にＬＥＤの寿命が短くなる不都合を防止できる。
【００２６】
また、電源基板７と一体化したホルダ３０の接触面が平滑となっているため、摩擦抵抗を小さくでき、筐体２内において電源基板ユニットを滑走させることができる。このため、両端の口金部にコネクタ１６を挿す作業を容易化できる。
【００２７】
また、ホルダ３０の断面形状には切れ目がなく、連続するように形成しているので、直接、電子部品９が筐体２に接触することがなくなり、筐体２との電気的絶縁性が保たれ、高い安全性を確保できる。また、電気的絶縁性を確保するために筐体２の内部への塗装を行わなくても良いので、安価に筐体２を製作できる。
【００２８】
次に、図６に、照明灯１００の実装基板１１ａ、１１ｂ、および電源基板７に設けられている各回路のブロック図を示す。図６に示す基板は、「ＬＥＤドライブボード」と呼ばれる基板である。このＬＥＤドライブボードには、主要部としてインバータ検知回路５１、抵抗回路５２、フィルタ回路５３、切替回路５４、整流回路５５、ドライブ回路５６、およびＬＥＤモジュール５７が設けられている。
【００２９】
インバータ検知回路５１は、インバータ式の灯具に対する照明灯１００の装着を検知する。抵抗回路５２は、蛍光灯のフィラメントに相当するインピーダンスを生成する回路である。後述するが、この例の場合、抵抗回路５２は、抵抗およびコンデンサの並列回路で、フィラメントに相当するインピーダンスを生成している。また、抵抗およびコンデンサの並列回路には、直列にインダクタが接続されている。インダクタとしては、例えばフェライトビーズが設けられており、ノイズを除去して、インバータ式の灯具に対する照明灯１００の装着時おける、インバータ点灯率の向上を図っている。
【００３０】
フィルタ回路５３は、ＥＭＩ対策フィルタであり、照明灯１００から周囲に発する電磁ノイズを低減するための回路である。ＥＭＩは、「Electro  Magnetic  Interference」の略記である。フィルタ回路５３は、例えば、ライン間コンデンサ（Ｘコンデンサ）、対アースコンデンサ（Ｙコンデンサ）、コモンモードコイル、ノーマルモードコイル等を直列や並列に接続した回路（図示せず）とすることができる。
【００３１】
照明灯１００は、フィルタ回路５３を設けることで、電磁ノイズを低減することが可能となり、ＥＭＩ規格を満足することができる。切替回路５４は、例えば、リレーや半導体スイッチ（ＦＥＴ等）により構成することができる。切替回路５４は、照明灯１００がＡＣ直結式、グロースタータ式またはラピッドスタート式の灯具に装着された際に、抵抗回路５２に対する電力の供給を切断する。換言すると、切替回路５４は、照明灯１００がインバータ式の灯具に装着された際に、抵抗回路５２に対して電力を供給する回路となっている。
【００３２】
また、フィルタ回路５３は、切替回路５４により、バイパス可能に構成されてもよい。切替回路５４は、照明灯１００が蛍光灯グロー安定器、蛍光灯ラピッド安定器、および商用交流電源に装着された際に、フィルタ回路５３を電源供給配線に接続する。なお、電源供給配線とは、商用交流電源、蛍光灯ラピッド安定器、蛍光灯グロー安定器、蛍光灯インバータ安定器のいずれかから、入力された電源を供給するための配線である。換言すると、切替回路５４は、照明灯１００が蛍光灯インバータ安定器に装着された際に、電源供給配線からフィルタ回路５３を切断する。なお、図１３を用いて後述するように、フィルタ回路５３が設けられていない構成では、この限りではない。
【００３３】
整流回路５５は、例えば４つの整流ダイオードＤ１〜Ｄ４をブリッジ状に接続して形成した、全波整流型の整流回路となっている。ドライブ回路５６は、電流をモニタするための電流モニタ抵抗、スイッチング素子、および制御ＩＣを有している。
【００３４】
ドライブ回路５６は、複数の発光ダイオード（ＬＥＤ）を備えたＬＥＤモジュール５７を駆動する回路である。ドライブ回路５６は、例えば、昇降圧回路や定電流回路等を含む構成とすることができる。ドライブ回路５６を設けることで、整流回路５５から供給される電圧が変動してもＬＥＤモジュール５７に定格を超えない適正な電流を供給することが可能となり、ＬＥＤモジュール５７の故障を防止すると共に省電力を実現できる。
【００３５】
照明灯１００は、蛍光灯グロー安定器、蛍光灯ラピッド安定器、蛍光灯インバータ安定器、および商用交流電源の何れの電力供給部とも接続できるが、接続される対象により使用する回路を選択可能に構成されている。インバータ検知回路５１は、入力部に接続された電力供給部の方式を検知する検知回路である。
【００３６】
インバータ検知回路５１は、照明灯１００が灯具１５０に接続されて通電された際に、灯具１５０に内蔵された蛍光灯安定器１５３が蛍光灯インバータ安定器であるか否かを検知する回路である。蛍光灯安定器１５３が蛍光灯インバータ安定器である場合、蛍光灯安定器１５３から照明灯１００に入力される信号の周波数は数１０ＫＨｚ程度の高周波である。
【００３７】
一方、蛍光灯安定器１５３が蛍光灯グロー安定器、蛍光灯ラピッド安定器、商用交流電源の何れかである場合、蛍光灯安定器１５３から（或いは、商用交流電源から直接）照明灯１００に入力される信号の周波数は５０〜６０Ｈｚ程度の低周波である。そこで、インバータ検知回路５１は、例えば、照明灯１００に入力される信号の周波数に基づいて、灯具１５０に内蔵された蛍光灯安定器１５３が蛍光灯インバータ安定器であるか否かを検知することができる。
【００３８】
インバータ検知回路５１が、灯具１００に内蔵された蛍光灯安定器１５３が蛍光灯インバータ安定器であることを検知した場合には、切替回路５４により、フィルタ回路５３がバイパスされる。
【００３９】
また、図７に示すように、フィルタ回路５３とは別に、高周波用フィルタ回路５３ｂを設ける構成としてもよい、インバータ検知回路５１が、灯具１５０に内蔵された蛍光灯安定器１５３が蛍光灯インバータ安定器であることを検知した場合には、切替回路５４により、高周波用フィルタ回路５３ｂを通るようにしても良い。そのため、フィルタ回路５３およびドライブ回路５６をバイパスしても、ＥＭＩノイズの問題は生じず、また、ＬＥＤモジュール５７に定格を超えない適正な電流を供給することが可能である。また、蛍光灯安定器１５３にフィルタ回路５３に相当する機能が備えられている場合もある。
【００４０】
さらに、図８に示すように、切替回路５４により、ドライブ回路５６をバイパス可能な構成としてもよい。切替回路５４は、例えばリレーや半導体スイッチ（ＦＥＴ等）により構成することができる。切替回路５４によりフィルタ回路５３がバイパスされた場合には、整流回路５５の出力は、ドライブ回路５６をバイパスしてＬＥＤモジュール５７に供給される。なお、図８の照明灯１００においても、インバータ検知回路５１が、灯具１５０に内蔵された蛍光灯安定器１５３が蛍光灯インバータ安定器であることを検知した場合には、切替回路５４により、高周波用フィルタ回路５３ｂを通るようにしても良い。
【００４１】
さらに、図９に示すように、ドライブ回路５６ａとは別に、第２のドライブ回路５６ｂを設ける構成としてもよい。インバータ検知回路５１が、灯具１５０に内蔵された蛍光灯安定器１５３が蛍光灯インバータ安定器であることを検知した場合には、切替回路５４により高周波用フィルタ回路５３ｂを通るようにしても良い。
【００４２】
さらに、図１０に示すように、照明灯１００は、省電力切替回路６０を設けることができる。省電力切替回路６０は、照明灯１００がインバータ式の灯具に装着され、タイマーで設定された時刻となった際に、動作モードを所定の省電力動作モードに切り替える回路となっている。
【００４３】
さらに、図１１に示すように、照明灯１００は、ラピッド検知回路６１を備える構成としてもよい。ラピッド検知回路６１は、照明灯１００が灯具１５０に接続されて通電された際に、灯具１５０に内蔵された蛍光灯安定器１５３が蛍光灯ラピッド安定器であるか否かを検知する回路である。例えば、ラピッド検知回路６１が、灯具１５０に内蔵された蛍光灯安定器１５３が蛍光灯ラピッド安定器であることを検知した場合に、フィルタ回路５３およびドライブ回路５６のバイパスはされないが、ドライブ回路５６の仕様を変更する構成としてもよい。
【００４４】
なお、インバータ検知回路５１が蛍光灯安定器１５３が蛍光灯インバータ安定器であることを検知せず、かつ、ラピッド検知回路６１が蛍光灯安定器１５３が蛍光灯ラピッド安定器であることを検知しない場合には、蛍光灯安定器１５３が蛍光灯グロー安定器、または、蛍光灯安定器１５３を介さず照明灯１００が商用交流電源に直結されたと認識し、口金を介して照明灯１００に入力された信号は、フィルタ回路５３を経由して整流回路５５に供給される。そして、整流回路５５の出力は、ドライブ回路５６を経由してＬＥＤモジュール５７に供給される。また、ドライブ回路５６の仕様は、蛍光灯グロー安定器および商用交流電源に適合したものが選択される。
【００４５】
更に、図１３に示すように、フィルタ回路５３および高周波フィルタ回路５３ｂを設けない構成にしてもよい。
【００４６】
図１２に、照明灯１００内に設けられた切替回路５４、および抵抗回路５２の模式的な回路図を示す。図１２に示すように、切替回路５４は、第１の切替回路５４ａと第２の切替回路５４ｂを有し、抵抗回路５２は、第１の抵抗回路５２ａと第２の抵抗回路５２ｂを有する。図１２に示すように、第１の抵抗回路５２ａは、既存の蛍光灯のフィラメントに相当するインピーダンスを生成する抵抗７０Ｒおよびコンデンサ７１Ｃを並列接続して形成されている。抵抗７０Ｒおよびコンデンサ７１Ｃの一方の接続端は、電源供給配線に接続されている。また、抵抗７０Ｒおよびコンデンサ７１Ｃの他方の接続端は、一端が電源供給配線に接続された第１の切替回路５４ａの他端に接続されている。
【００４７】
すなわち、抵抗７０Ｒおよびコンデンサ７１Ｃを並列接続した第１の抵抗回路５２ａは、第１の切替回路５４ａと直列接続されている。第１の切替回路５４ａと接続された第１の抵抗回路５２ａの端部に対して反対側となる第１の抵抗回路５２ａの端部は、電源供給配線に接続されている。第１の抵抗回路５２ａと接続された第１の切替回路５４ａの端部に対して反対側となる第１の切替回路５４ａの端部は、電源供給配線に接続されている。
【００４８】
また、第１の抵抗回路５２ａと、第１の切替回路５４ａとの接続間には、インダクタの一例となるフェライトビーズ７２ＦＢが挿入接続されている。なお、フェライトビーズの代わりにコイル等のインダクタを用いてもよい。フェライトビーズ、およびコイル等のインダクタは、ノイズ除去部の一例である。
【００４９】
同様に、抵抗８０Ｒおよびコンデンサ８１Ｃを並列接続した第２の抵抗回路５２ｂは、第２の切替回路５４ｂと直列接続されている。第２の切替回路５４ｂと接続された第２の抵抗回路５２ｂの端部に対して反対側となる第２の抵抗回路５２ｂの端部は、電源供給配線に接続されている。第２の抵抗回路５２ｂと接続された第２の切替回路５４ｂの端部に対して反対側となる第２の切替回路５４ｂの端部は、電源供給配線に接続されている。
【００５０】
また、第２の抵抗回路５２ｂと、第２の切替回路５４ｂとの接続間には、インダクタの一例となるフェライトビーズ８２ＦＢが挿入接続されている。なお、フェライトビーズの代わりにコイル等のインダクタを用いてもよい。
【００５１】
第１の切替回路５４ａおよび第２の切替回路５４ｂは、いわゆる２芯のリレー回路となっている。第１の切替回路５４ａおよび第２の切替回路５４ｂは、蛍光灯安定器１５３が蛍光灯グロー安定器、蛍光灯ラピッド安定器、商用交流電源の何れかである灯具に対して照明灯１００が装着されると、第１の切替回路５４ａおよび第２の切替回路５４ｂをオフ動作する。第１の切替回路５４ａおよび第２の切替回路５４ｂがそれぞれオフ動作すると、第１の抵抗回路５２ａおよび第２の抵抗回路５２ｂが電源供給配線から切断される。これにより、蛍光灯安定器１５３が蛍光灯グロー安定器、蛍光灯ラピッド安定器、または商用交流電源の何れかの灯具に対して照明灯１００が装着された際に、フィラメントに相当する第１の抵抗回路５２ａおよび第２の抵抗回路５２ｂに対する電源供給を遮断して、無駄に電力が消費される不都合を防止できる。
【００５２】
一例ではあるが、第１の切替回路５４ａおよび第２の切替回路５４ｂは、第１の抵抗回路５２ａおよび第２の抵抗回路５２ｂに接続された第１の接点、およびフィルタ回路５３に接続された第２の接点を設けても良い。第１の切替回路５４ａおよび第２の切替回路５４ｂは、いわゆる２芯のリレー回路となっている。第１の切替回路５４ａおよび第２の切替回路５４ｂは、蛍光灯安定器１５３が蛍光灯グロー安定器、蛍光灯ラピッド安定器、商用交流電源の何れかである灯具に対して照明灯１００が装着されると、コイルに電流が流れることで形成された電磁石により、第１の接点がオフ動作すると共に、第２の接点がオン動作する。第１の切替回路５４ａおよび第２の切替回路５４ｂの第２の接点がそれぞれオン動作すると、図６に示したフィルタ回路５３が電源供給配線に接続される。フィルタ回路５３は、交流電源に重畳している高周波ノイズを除去する。これにより、整流回路５５およびドライブ回路５６を介して、ノイズが除去された電源でＬＥＤモジュール５７を安定的に点灯駆動することができる。
【００５３】
なお、この例では、第１の切替回路５４ａおよび第２の切替回路５４ｂの各スイッチで、第１の抵抗回路５２ａおよび第２の抵抗回路５２ｂを電源供給配線から切断することとして説明した。しかし、スイッチの代わりに、温度ヒューズ等を用いて第１の抵抗回路５２ａおよび第２の抵抗回路５２ｂを電源供給配線から切断してもよい。
【００５４】
一方、上述のように２芯のリレー回路となっている第１の切替回路５４ａおよび第２の切替回路５４ｂは、インバータ式の灯具に対して照明灯１００が装着されると、第１の切替回路５４ａおよび第２の切替回路５４ｂをオン動作する。第１の切替回路５４ａおよび第２の切替回路５４ｂがそれぞれオフ動作すると、第１の抵抗回路５２ａおよび第２の抵抗回路５２ｂが電源供給配線に対して接続される。
【００５５】
また、上述のように、第１の切替回路５４ａおよび第２の切替回路５４ｂに、第１の抵抗回路５２ａおよび第２の抵抗回路５２ｂに接続された第１の接点、およびフィルタ回路５３に接続された第２の接点を設けられた構成では、インバータ式の灯具に対して照明灯１００が装着されると、コイルに電流は流れず、第１の接点がオン動作すると共に、第２の接点がオフ動作する。第１の切替回路５４ａおよび第２の切替回路５４ｂの第２の接点がそれぞれオフ動作すると、フィルタ回路５３が電源供給配線から切り離される。また、第１の切替回路５４ａおよび第２の切替回路５４ｂの第１の接点がオン動作すると、第１の抵抗回路５２ａおよび第２の抵抗回路５２ｂが電源供給配線に対して接続される。
【００５６】
インバータ式の灯具に対する照明灯１００の装着は、図６に示すインバータ検知回路５１により検知される。省電力切替回路６０は、インバータ検知回路５１による検知をトリガとして、インバータ方式に従って、ＬＥＤモジュール５７を点灯駆動する。この際、蛍光灯のフィラメントに相当する第１の抵抗回路５２ａおよび第２の抵抗回路５２ｂは、電源供給配線に接続されているため、インバータ蛍光灯安定器の保護回路が働いて、出力が停止する不都合を防止できる。従って、第１の抵抗回路５２ａおよび第２の抵抗回路５２ｂをフィラメントに見立てて、インバータ蛍光灯安定器から安定した出力を得ることができ、ＬＥＤモジュール５７の安定駆動を図ることができる。
【００５７】
ここで、上述のように第１の抵抗回路５２ａと第１の切替回路５４ａとの接続間、および第２の抵抗回路５２ｂと第２の切替回路５４ｂとの接続間には、それぞれフェライトビーズ７２ＦＢ、または、フェライトビーズ８２ＦＢが挿入接続されている。各フェライトビーズ７２ＦＢ，８２ＦＢは、照明灯１００をインバータ方式に従って点灯駆動する場合に、交流電源に重畳している高周波ノイズや、他のライン、または、他の回路からの輻射ノイズ等を除去する。
【００５８】
工事を必要としないＬＥＤの照明装置の場合、照明灯１００内に各回路を収納する必要がある。このため、ＬＥＤドライブボードのレイアウトは、細い信号線が多用され、また、回路パターンの間隔が狭いレイアウトとなる。また、照明灯１００内に長いハーネスを通す必要がある。このため、電源供給配線に多くの高周波ノイズ、または、輻射ノイズが重畳し、例えば１０回中１回は照明灯１００が不点灯となる不都合を生ずるおそれがある。
【００５９】
しかし、第１の実施の形態の照明灯１００の場合、インバータ式の灯具に装着した際に、第１の抵抗回路５２ａと第１の切替回路５４ａとの接続間、および第２の抵抗回路５２ｂと第２の切替回路５４ｂとの接続間にそれぞれ設けられているフェライトビーズ７２ＦＢ、または、フェライトビーズ８２ＦＢが機能する。そして、フェライトビーズ７２ＦＢおよびフェライトビーズ８２ＦＢが、電源供給配線に重畳している高周波ノイズまたは輻射ノイズを除去する。これにより、インバータ蛍光灯安定器を安定して動作させて、不点灯となることなく、略々確実に照明灯１００を点灯駆動することができる。すなわち、第１の実施の形態の照明灯１００は、インバータ式の灯具に装着された際に点灯率の向上、および、安定点灯を実現できる。
【００６０】
なお、フェライトビーズにもインダクタ成分があるため、フェライトビーズを第１の抵抗回路５２ａおよび第２の抵抗回路５２ｂのインピーダンスの微調整用に用いてもよい。
【００６１】
次に、上述の説明では、第１の切替回路５４ａおよび第２の切替回路５４ｂは、照明灯１００が、蛍光灯安定器１５３が蛍光灯グロー安定器、蛍光灯ラピッド安定器、商用交流電源の何れかである灯具に装着された際に、第１の抵抗回路５２ａおよび第２の抵抗回路５２ｂに対する電力供給を切断することとした。しかし、第１の抵抗回路５２ａおよび第２の抵抗回路５２ｂのうち、いずれか一方を切断してもよい。
【００６２】
コイルおよびコンデンサを組み合わせ、始動時にコンデンサへの充電電流で電極を予熱すると共に、ＬＣ共振で生じた高電圧を印加して点灯を図るセミ共振形のラピッド蛍光灯安定器（共振ラピッド蛍光灯安定器）が知られている。この共振ラピッド蛍光灯安定器を備えた灯具に照明灯１００を装着すると、共振ラピッド蛍光灯安定器→第１の抵抗回路５２ａ→共振ラピッド蛍光灯安定器→第２の抵抗回路５２ｂ→共振ラピッド蛍光灯安定器の順に電流が流れるループが形成され、安定した点灯駆動に支障をきたすおそれがある。しかし、第１の実施の形態の照明灯１００の場合、第１の切替回路５４ａまたは第２の切替回路５４ｂで、第１の抵抗回路５２ａおよび第２の抵抗回路５２ｂのうち、いずれか一方のみでも電源供給配線から切断することで、共振ラピッド蛍光灯安定器における上述のループ発生を防止できる。
【００６３】
以上の説明から明らかなように、第１の実施の形態の照明灯１００は、フィラメントに相当する第１の抵抗回路５２ａおよび第２の抵抗回路５２ｂと、各抵抗回路５２ａ，５２ｂを電源供給配線に対して接続および切り離しする第１の切替回路５４ａおよび第２の切替回路５４ｂとを設ける。そして、インバータ式の灯具に装着された場合のみ、第１の切替回路５４ａおよび第２の切替回路５４ｂが、第１の抵抗回路５２ａおよび第２の抵抗回路５２ｂを電源供給配線に対して接続する。また、インバータ式の灯具以外の灯具に装着された場合、第１の切替回路５４ａおよび第２の切替回路５４ｂは、第１の抵抗回路５２ａおよび第２の抵抗回路５２ｂを電源供給配線から切り離す。これにより、インバータ式の灯具以外の灯具に装着された場合に不要となる第１の抵抗回路５２ａおよび第２の抵抗回路５２ｂに、無駄に電力が供給される不都合を防止できる。このため、照明灯１００の省電力化を図ることができる。
【００６４】
また、第１の実施の形態の照明灯１００は、第１の抵抗回路５２ａと第１の切替回路５４ａとの接続間、および第２の抵抗回路５２ｂと第２の切替回路５４ｂとの接続間にそれぞれフェライトビーズ７２ＦＢ、または、フェライトビーズ８２ＦＢを有する。各フェライトビーズ７２ＦＢ、８２ＦＢは、インバータ式の灯具に照明灯１００が装着された際に機能し、電源供給配線に重畳している高周波ノイズまたは輻射ノイズを除去する。これにより、インバータ蛍光灯安定器を安定して動作させて、不点灯となることなく、略々確実に照明灯１００の点灯駆動が可能となる。すなわち、第１の実施の形態の照明灯１００は、インバータ式の灯具に装着された際に、点灯率の向上、および、安定点灯を実現できる。
【００６５】
（第２の実施の形態）
次に、第２の実施の形態となる照明灯の説明をする。第１の実施の形態は、単灯式の灯具に照明灯１００が１本のみ装着された場合の動作を例として説明したものであった。これに対して、第２の実施の形態の照明灯は、蛍光灯ラピッド安定器が内蔵された多灯式の灯具に、複数の照明灯１００が同時に装着された際に、照明灯１００が、ラピッドスタート式専用のドライブ回路に切り替えることで、多灯式の灯具に装着された複数の照明灯１００を、より均等な明るさで点灯可能としたものである。
【００６６】
図１４に、第２の実施の形態の照明灯１００のブロック図を示す。この図１４は、２灯式の灯具に、２本の照明灯１００が同時に装着された例である。各照明灯１００の口金１ａおよび口金１ｂには、灯具に内蔵されている安定器からの電源、または、ＡＣ電源が直接的に（ＡＣ直結）供給されている。各照明灯１００は、供給される電源の電圧を検知する電圧検知回路８５、８６をそれぞれ有している。また、第２の実施の形態の照明灯１００は、電圧検知回路８５、８６からの電圧検知出力をフィードバックするフィードバック回路８７を有している。電圧検知回路８５、８６およびフィードバック回路８７は、図１１に示したラピッド検知回路６１に相当する。なお、この例では、各照明灯１００は、それぞれ電圧検知回路８５、８６を有することとしたが、いずれか一方の照明灯１００のみに電圧検知回路を設けてもよい。
【００６７】
図１４に示す制御回路８８は、上述のドライブ回路５６に相当する。一例ではあるが、図１４に示すように、制御回路８８は、ラピッドスタート式の安定器専用のラピッドスタート式用制御ＩＣ８９、および、共通制御ＩＣ９０を有している。ＩＣは、「Integrated  Circuit」の略記である。また、ラピッドスタート式用制御ＩＣ８９、および、共通制御ＩＣ９０は、上述のドライブ回路５６に相当する。共通制御ＩＣ９０は、照明灯１００がＡＣ直結式の灯具に装着された際、および、グロースタート式の安定器が内蔵された灯具に装着された際に、照明灯１００を点灯駆動する共通のドライブ回路である。制御回路８８は、フィードバック回路８７からフィードバックされた電圧検知出力を用いて、いずれかの制御ＩＣ８９，９０を選択する。そして、制御回路８８は、選択した制御ＩＣでＬＥＤモジュール５７を点灯駆動する。
【００６８】
具体的に説明すると、電圧検知回路８５、８６は、各照明灯１００の口金１ａおよび口金１ｂに供給されている電源の電圧を検知する。各照明灯１００に対して、ＡＣ直結式で電源が供給されている場合、および、グロースタート式の安定器から電源が供給されている場合は、電圧検知回路８５、８６で電圧が検知されない。なお、ＡＣ直結式の場合は、配線の仕方で電圧が検知される場合もあるが、一般的には、電圧は検知されない。
【００６９】
フィードバック回路８７は、電圧検知回路８５、８６からの電圧検知出力を所定の閾値と比較することで２値化し、２値化した電圧検知出力を制御回路８８のフィードバック端子に供給する。一例ではあるが、各照明灯１００の口金１ａおよび口金１ｂに供給されている電源の電圧が検知された場合は、フィードバック回路８７から制御回路８８に、「１（ハイレベル）」の電圧検知出力が供給される。また、各照明灯１００の口金１ａおよび口金１ｂに供給されている電源の電圧が検知されない場合は、フィードバック回路８７から制御回路８８に、「０（ローレベル）」の電圧検知出力が供給される。なお、フィードバック回路８７からの電圧検知出力は、制御回路８８に供給されると共に、図１１に示す切替回路５４にも供給され、上述の切替回路５４の切り替え処理に用いられる。
【００７０】
制御回路８８は、フィードバックされた電圧検知出力が「０（ローレベル）」である場合、共通制御ＩＣ９０を選択する。これにより、各照明灯１００に対して、ＡＣ直結式で電源が供給されている場合、および、グロースタート式の安定器から電源が供給されている場合は、共通制御ＩＣ９０でＬＥＤモジュール５７が点灯駆動される。
【００７１】
これに対して、フィードバックされた電圧検知出力が「１（ハイレベル）」である場合、制御回路８８は、ラピッドスタート式用制御ＩＣ８９を選択する。これにより、各照明灯１００に対して、ラピッドスタート式の安定器から電源が供給されている場合は、ラピッドスタート式用制御ＩＣ８９でＬＥＤモジュール５７が点灯駆動される。
【００７２】
このように、第２の実施の形態の照明灯１００は、ラピッドスタート式の安定器から電源が供給されている場合に口金１ａおよび口金１ｂに発生する電圧を検知し、ラピッドスタート式用制御ＩＣ８９でＬＥＤモジュール５７を点灯駆動する。これにより、ＬＥＤモジュール５７を、ラピッドスタート式の安定器専用のドライブ回路で点灯駆動できる。このため、ラピッドスタート式の安定器が内蔵された多灯式の灯具に照明灯１００が複数装着された場合でも、各照明灯１００を、より均等な明るさで点灯させることができる他、上述の各実施の形態と同様の効果を得ることができる。
【００７３】
（第３の実施の形態）
次に、第３の実施の形態となる照明灯の説明をする。上述の第２の実施の形態の照明灯は、ラピッドスタート式の安定器専用のドライブ回路を用いることで、多灯式の灯具に装着された複数の照明灯１００を、より均等な明るさで点灯可能としたものであった。これに対して、第３の実施の形態の照明灯は、ラピッドスタート式の安定器専用のドライブ回路のスイッチング動作のオン幅を、強制的に所定のオン幅に固定することで、多灯式の灯具に装着された複数の照明灯１００に流れる電流を均等な電流量とし、各照明灯１００を、より均等な明るさで点灯可能としたものである。
【００７４】
通常、ＬＥＤモジュール５７を点灯駆動する制御ＩＣは、所定の鋸波と所定電圧とを比較し、鋸波が所定電圧以上となっている間、オン動作するスイッチング動作を行うことで、ＬＥＤモジュール５７の駆動パルスを生成する。しかし、直流レベルの変動等により、制御ＩＣがオン動作する時間が変動すると、例えばラピッドスタート式の安定器を内蔵した直列２灯の灯具に装着された２本の照明灯１００のうち、一方の照明灯１００に対して１２０Ｖの電圧が印加され、他方の照明灯１００に対して２０Ｖの電圧しか印加されない等のように、印加電圧に偏りが生ずる。このような印加電圧に偏りが生ずると、一方の照明灯１００に対して多量の電流が流れ、他方の照明灯１００に対して少量の電流しか流れず、各照明灯の明るさが不均等となる不都合を生ずる。
【００７５】
このため、第３の実施の形態の照明灯１００の場合、図１５のブロック図に示すように、ラピッドスタート式用制御ＩＣ８９に対して、スイッチング制御素子を接続する。なお、図１５においては、共通制御ＩＣ９０の図示は省略してある。スイッチング制御素子としては、ツェナーダイオード、抵抗、コンデンサ等を接続することができる。図１５の例は、ツェナーダイオード９３を接続した例である。ツェナーダイオード９３を接続する場合、アノード（Ａ）をグランドラインに接続し、カソード（Ｃ）をラピッドスタート式用制御ＩＣ８９の、例えばエラーアンプ端子等のフィードバックを得る端子に接続する。
【００７６】
ラピッドスタート式用制御ＩＣ８９は、通常、入力電圧または出力電流のフィードバックを得てスイッチング動作を行うが、第３の実施の形態の照明灯１００の場合、このような本来とは異なるスイッチング動作を行う。すなわち、第３の実施の形態の照明灯１００の場合、ツェナーダイオード９３で、ラピッドスタート式用制御ＩＣ８９のスイッチング動作のオン幅を強制的に固定する。換言すると、第３の実施の形態の照明灯１００の場合、ツェナーダイオード９３が、ラピッドスタート式用制御ＩＣ８９のスイッチング動作において、オン動作している時間が同じ時間となるように、オン動作時間を制御する。
【００７７】
これにより、ラピッドスタート式の安定器を内蔵した、例えば直列２灯の灯具に装着された２本の照明灯１００に印加される電圧に偏りが生じていても、各照明灯１００に対して、徐々に均等の電圧が印加されるように制御することができる。そして、各照明灯１００に対して、均等に電圧が印加されるように制御することで、各照明灯１００に流れる電流量も均等な電流量とすることができ、各照明灯１００の明るさを、より均等な明るさとすることができる。本件出願人が、試作実験を行ったところ、照明灯１００に印加される電圧に偏りが生じていても、数ｍｓｅｃ程度で、各照明灯１００に印加される電圧を均等とし、各照明灯１００の明るさを均等とすることができた。
【００７８】
このように、第３の実施の形態の照明灯１００は、ラピッドスタート式用制御ＩＣ８９にスイッチング制御素子を接続し、スイッチング動作のオン幅を強制的に固定する。これにより、各照明灯１００に印加される電圧を均等とし、各照明灯１００の明るさを、より均等とすることができる他、上述の各実施の形態と同様の効果を得ることができる。
【００７９】
上述の各実施の形態は、例として提示したものであり、本発明の範囲を限定することは意図していない。この新規な各実施の形態は、その他の様々な形態で実施されることが可能であり、発明の要旨を逸脱しない範囲で、種々の省略、置き換え、変更を行うことも可能である。各実施の形態および各実施の形態の変形は、発明の範囲や要旨に含まれると共に、特許請求の範囲に記載された発明とその均等の範囲に含まれる。
【符号の説明】
【００８０】
５１  インバータ検知回路
５２ａ  第１の抵抗回路
５２ｂ  第２の抵抗回路
５３  フィルタ回路
５４ａ  第１の切替回路
５４ｂ  第２の切替回路
５５  整流回路
５６  ドライブ回路
５７  ＬＥＤモジュール
６０  省電力切替回路
６１  ラピッド検知回路
７０Ｒ  抵抗
７１Ｃ  コンデンサ
７２ＦＢ  フェライトビーズ
８０Ｒ  抵抗
８１Ｃ  コンデンサ
８２ＦＢ  フェライトビーズ
８５  電圧検知回路
８６  電圧検知回路
８７  フィードバック回路
８８  制御回路
８９  ラピッドスタート式用制御ＩＣ
９０  共通制御ＩＣ
９３  ツェナーダイオード
１００  照明灯
【先行技術文献】
【特許文献】
【００８１】
【特許文献１】特開２００８−２７７１８８号公報
【図１】
2016085813.tif 000003
【図２】
2016085813.tif 000004
【図３】
2016085813.tif 000005
【図４】
2016085813.tif 000006
【図５】
2016085813.tif 000007
【図６】
2016085813.tif 000008
【図７】
2016085813.tif 000009
【図８】
2016085813.tif 000010
【図９】
2016085813.tif 000011
【図１０】
2016085813.tif 000012
【図１１】
2016085813.tif 000013
【図１２】
2016085813.tif 000014
【図１３】
2016085813.tif 000015
【図１４】
2016085813.tif 000016
【図１５】
2016085813.tif 000017